(57)【要約】  信号処理システム（１０）は、時系列信号に混入するノイズ周波数、ノイズ量、及び、入出力伝達特性に基づいて、加減算に基づく信号処理を行って線形素子（ＣＸ）の値を推定する結果に混入するノイズを低減するようにサブシステム（５ａ・５ｂ）を切り換える切換回路（６）を有する。
2014042153.tif 000002
【特許請求の範囲】
【請求項１】
離散時間でサンプリングされた線形素子に基づく複数個の時系列信号に、 加減算に基づく信号処理を行って前記線形素子の値、もしくは、前記線形素子の入力を推定する信号処理システムであって、
異なる入出力伝達特性を有する第１及び第２サブシステムと、
前記時系列信号に混入するノイズ周波数、ノイズ量、及び、前記入出力伝達特性に基づいて、前記加減算に基づく信号処理を行って前記線形素子の値もしくは入力を推定する結果に混入するノイズを低減するように前記第１及び第２サブシステムを切り換えて前記線形素子に繋ぐ切換回路とを有することを特徴とする信号処理システム。 
【請求項２】
前記第１サブシステムに基づく前記線形素子からの時系列信号の多重サンプリング数と、前記第２サブシステムに基づく前記線形素子からの時系列信号の多重サンプリング数とが異なる請求項１に記載の信号処理システム。
【請求項３】
前記第１サブシステムに基づく前記線形素子からの時系列信号のサンプリング周波数と、前記第２サブシステムに基づく前記線形素子からの時系列信号のサンプリング周波数とが異なる請求項１に記載の信号処理システム。
【請求項４】
前記第１サブシステムに基づく前記複数個の時系列信号の符号の正負は時系列に沿って反転し、前記第２サブシステムに基づく前記複数個の時系列信号の符号の正負は時系列に沿って一定となる請求項１に記載の信号処理システム。
【請求項５】
前記時系列信号の加減算に基づく信号処理による前記線形素子の推定値もしくは前記線形素子の入力の推定値から、前記ノイズ量を推定するノイズ量推定手段をさらに備え、
前記切換回路は、前記ノイズ量推定手段の推定結果に基づいて前記第１及び第２サブシステムを切り換える請求項１に記載の信号処理システム。
【請求項６】
線形素子に基づく複数個の時系列信号をアナログ・デジタル変換して、前記離散時間でサンプリングされた複数個の時系列信号を生成するアナログ・デジタル変換回路をさらに備える請求項１に記載の信号処理システム。
【請求項７】
複数本のドライブラインと複数本のセンスラインとの交点にそれぞれ形成された複数個の静電容量を有するタッチパネルを制御するタッチパネルコントローラであって、
前記静電容量を前記ドライブラインに沿って駆動する駆動回路と、
前記駆動回路により駆動された静電容量に基づく複数個の線形和信号を前記センスラインに沿って読み出して増幅する増幅回路と、
前記増幅回路の出力をアナログ・デジタル変換するアナログ・デジタル変換回路と、
前記アナログ・デジタル変換された増幅回路の出力に基づいて前記静電容量の値を推定する復号演算回路と、
異なる入出力伝達特性を有する第１及び第２サブシステムと、
前記線形和信号に混入するノイズ周波数、ノイズ量、及び、前記入出力伝達特性に基づいて、前記復号演算回路により前記静電容量の値を推定する結果に混入するノイズを低減するように 前記第１及び第２サブシステムを切り換えて前記駆動回路に繋ぐ切換回路とを有することを特徴とするタッチパネルコントローラ。
【請求項８】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）を連続して実施する請求項７に記載のタッチパネルコントローラ。
【請求項９】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行する請求項７に記載のタッチパネルコントローラ。
【請求項１０】
前記駆動回路は、前記第１及び第２サブシステムと異なる入出力伝達特性を有する第３サブシステムをさらに有し、
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）を連続して実施し、
前記第３サブシステムは、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行する請求項７に記載のタッチパネルコントローラ。
【請求項１１】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）を連続して、前記複数個の線形和信号の符号の正負が時系列に沿って各ベクタ駆動毎に反転するように実施する請求項７に記載のタッチパネルコントローラ。
【請求項１２】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行する請求項７に記載のタッチパネルコントローラ。
【請求項１３】
前記駆動回路は、前記第１及び第２サブシステムと異なる入出力伝達特性を有する第３サブシステムをさらに有し、
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）を連続して、前記複数個の線形和信号の符号の正負が時系列に沿って各ベクタ駆動毎に反転するように実施し、
前記第３サブシステムは、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行する請求項７に記載のタッチパネルコントローラ。
【請求項１４】
前記第１サブシステムは、前記複数個の線形和信号の符号の正負が時系列に沿って反転するように前記静電容量を駆動するときに、前記複数個の線形和信号の符号の正負が時系列に沿って一定となるように駆動するときよりも、前記増幅回路をリセットするためのリセット信号のリセット時間を短縮する請求項７に記載のタッチパネルコントローラ。
【請求項１５】
前記増幅回路は、隣接するセンスラインに沿って出力される線形和信号を差動増幅する差動増幅器を含む請求項７に記載のタッチパネルコントローラ。
【請求項１６】
複数本のドライブラインと複数本のセンスラインとの交点にそれぞれ形成された複数個の静電容量を有するタッチパネルと、
前記タッチパネルを制御するタッチパネルコントローラとを備えたタッチパネルシステムであって、
前記タッチパネルコントローラは、前記静電容量を前記ドライブラインに沿って駆動する駆動回路と、
前記駆動回路により駆動された静電容量に基づく複数個の線形和信号を前記センスラインに沿って読み出して増幅する増幅回路と、
前記増幅回路の出力をアナログ・デジタル変換するアナログ・デジタル変換回路と、
前記アナログ・デジタル変換された増幅回路の出力に基づいて前記静電容量の値を推定する復号演算回路と、
異なる入出力伝達特性を有する第１及び第２サブシステムと、
前記線形和信号に混入するノイズ周波数、ノイズ量、及び、前記入出力伝達特性に基づいて、前記復号演算回路により前記静電容量の値を推定する結果に混入するノイズを低減するように 前記第１及び第２サブシステムを切り換えて前記駆動回路に繋ぐ切換回路とを有することを特徴とするタッチパネルシステム。
【請求項１７】
請求項１６に記載のタッチパネルシステムと、
前記タッチパネルシステムに対応する表示手段とを備えたことを特徴とする電子機器。
【発明の詳細な説明】
【技術分野】
【０００１】
本発明は、離散時間でサンプリングされた線形素子に基づく複数個の時系列信号に、加減算に基づく信号処理を行って前記線形素子の値、もしくは、前記線形素子の入力を推定する信号処理システム、複数本のドライブラインと複数本のセンスラインとの交点にそれぞれ形成された複数個の静電容量を有するタッチパネルを制御するタッチパネルコントローラ、並びに、これを用いたタッチパネルシステム及び電子機器に関する。
【背景技術】
【０００２】
本発明者らは、複数本のドライブラインと複数本のセンスラインとの交点にそれぞれ形成された複数個の静電容量を有するタッチパネルを制御して、マトリックス状に構成された静電容量の容量値を推定または検出するタッチパネルコントローラを提案している（特許文献１）。【０００３】
このタッチパネルコントローラは、複数のドライブラインを符号系列に基づいて並列駆動して静電容量に蓄積された電荷に基づく線形和信号をセンスラインに沿って離散時間でサンプリングして読み出し、読み出した線形和信号と符号系列との内積演算により静電容量の容量値を推定または検出する。
【先行技術文献】
【特許文献】
【０００４】
【特許文献１】日本国特許出願「特願2011−130604号（2011年6月10日出願）」
【発明の概要】
【発明が解決しようとする課題】
【０００５】
しかしながら、上述のような従来技術は、離散時間でサンプリングした線形和信号にノイズが混入し、静電容量の容量値の推定または検出が不正確になり、タッチパネルコントローラを良好に動作させることが困難になるという問題がある。【０００６】
本発明の目的は、離散時間でサンプリングされた線形素子に基づく複数個の時系列信号に混入するノイズ周波数、ノイズ量、及び、前記入出力伝達特性に基づいて、加減算に基づく信号処理を行って線形素子の値もしくは入力を推定する結果に混入するノイズを低減することにある。
【課題を解決するための手段】
【０００７】
上記の課題を解決するために、本発明の一態様に係る信号処理システムは、離散時間でサンプリングされた線形素子に基づく複数個の時系列信号に、 加減算に基づく信号処理を行って前記線形素子の値、もしくは、前記線形素子の入力を推定する信号処理システムであって、異なる入出力伝達特性を有する第１及び第２サブシステムと、前記時系列信号に混入するノイズ周波数、ノイズ量、及び、前記入出力伝達特性に基づいて、前記加減算に基づく信号処理を行って前記線形素子の値もしくは入力を推定する結果に混入するノイズを低減するように 前記第１及び第２サブシステムを切り換えて前記線形素子に繋ぐ切換回路とを有する。【０００８】
本発明に係るタッチパネルコントローラは、複数本のドライブラインと複数本のセンスラインとの交点にそれぞれ形成された複数個の静電容量を有するタッチパネルを制御するタッチパネルコントローラであって、前記静電容量を前記ドライブラインに沿って駆動する駆動回路と、前記駆動回路により駆動された静電容量に基づく複数個の線形和信号を前記センスラインに沿って読み出して増幅する増幅回路と、前記増幅回路の出力をアナログ・デジタル変換するアナログ・デジタル変換回路と、前記アナログ・デジタル変換された増幅回路の出力に基づいて前記静電容量の値を推定する復号演算回路と、異なる入出力伝達特性を有する第１及び第２サブシステムと、前記線形和信号に混入するノイズ周波数、ノイズ量、及び、前記入出力伝達特性に基づいて、前記復号演算回路により前記静電容量の値を推定する結果に混入するノイズを低減するように 前記第１及び第２サブシステムを切り換えて前記駆動回路に繋ぐ切換回路とを有する。【０００９】
本発明に係るタッチパネルシステムは、複数本のドライブラインと複数本のセンスラインとの交点にそれぞれ形成された複数個の静電容量を有するタッチパネルと、前記タッチパネルを制御するタッチパネルコントローラとを備えたタッチパネルシステムであって、前記タッチパネルコントローラは、前記静電容量を前記ドライブラインに沿って駆動する駆動回路と、前記駆動回路により駆動された静電容量に基づく複数個の線形和信号を前記センスラインに沿って読み出して増幅する増幅回路と、前記増幅回路の出力をアナログ・デジタル変換するアナログ・デジタル変換回路と、前記アナログ・デジタル変換された増幅回路の出力に基づいて前記静電容量の値を推定する復号演算回路と、異なる入出力伝達特性を有する第１及び第２サブシステムと、前記線形和信号に混入するノイズ周波数、ノイズ量、及び、前記入出力伝達特性に基づいて、前記復号演算回路により前記静電容量の値を推定する結果に混入するノイズを低減するように 前記第１及び第２サブシステムを切り換えて前記駆動回路に繋ぐ切換回路とを有する。【００１０】
本発明に係る電子機器は、本発明に係るタッチパネルシステムと、前記タッチパネルシステムに対応する表示手段とを備える。
【発明の効果】
【００１１】
本発明の一態様によれば、離散時間でサンプリングされた線形素子に基づく複数個の時系列信号に混入するノイズ周波数、ノイズ量、及び、前記入出力伝達特性に基づいて、加減算に基づく信号処理を行って線形素子の値もしくは入力を推定する結果に混入するノイズを低減することができるという効果を奏する。
【図面の簡単な説明】
【００１２】
【図１】実施の形態１に係る信号処理システムの構成を示すブロック図である。
【図２】上記信号処理システムにより処理される時系列信号のノイズ量及びサンプリング周波数と時系列信号の振幅変化量との間の周波数特性を示すグラフである。
【図３】実施の形態１に係るタッチパネルシステムの構成を示す回路図である。
【図４】上記タッチパネルシステムの駆動方法を説明するための回路図である。
【図５】上記タッチパネルシステムの駆動方法を示す数式を説明するための図である。
【図６】上記タッチパネルシステムにノイズが印加される状況を示す回路図である。
【図７】上記タッチパネルシステムの並列駆動方法を説明するための回路図である。
【図８】上記タッチパネルシステムの並列駆動方法を示す数式を説明するための図である。
【図９】上記タッチパネルシステムをＭ系列符号により並列駆動する方法を示す数式を説明するための図である。
【図１０】実施の形態１に係る他のタッチパネルシステムの構成を示す回路図である。
【図１１】図１１の（ａ）（ｂ）（ｃ）は、上記他のタッチパネルシステムにより静電容量を駆動する実施単位を説明するための図である。
【図１２】図１２の（ａ）（ｂ）（ｃ）は、上記他のタッチパネルシステムにより静電容量を反転駆動する方法を説明するための図である。
【図１３】上記他のタッチパネルシステムにより１ｓｔベクタによる駆動の次に２ｎｄベクタによる駆動を実施するときの駆動信号等の波形図である。
【図１４】図１４の（ａ）は上記他のタッチパネルシステムにより連続して１ｓｔベクタによる駆動を実施するときの駆動信号等の波形図であり、図１４の（ｂ）は連続して１ｓｔベクタのフェイズ０による駆動を実施するときの駆動信号等の波形図である。
【図１５】図１５の（ａ）は上記他のタッチパネルシステムにより連続して１ｓｔベクタによる駆動を実施するときの駆動信号等の波形図であり、図１５の（ｂ）は偶数回目における１ｓｔベクタによる駆動を反転する場合の駆動信号等の波形図である。
【図１６】図１６の（ａ）は連続して１ｓｔベクタのフェイズ０による駆動を実施するときの駆動信号等の波形図であり、図１６の（ｂ）は偶数回目における１ｓｔベクタのフェイズ０による駆動を反転する場合の駆動信号等の波形図である。
【図１７】図１７の（ａ）は連続して１ｓｔベクタのフェイズ０による駆動を実施するときの駆動信号等の波形図であり、図１７の（ｂ）は１ｓｔベクタのフェイズ１による駆動を反転する場合の駆動信号等の波形図である。
【図１８】上記他のタッチパネルシステムにおける相関２重サンプリングの周波数特性を示すグラフである。
【図１９】上記他のタッチパネルシステムによる８重サンプリングの周波数特性を示すグラフである。
【図２０】上記他のタッチパネルシステムによる他の８重サンプリングの周波数特性を示すグラフである。
【図２１】上記他のタッチパネルシステムによるさらに他の８重サンプリングの周波数特性を示すグラフである。
【図２２】上記他のタッチパネルシステムによる４重サンプリングの周波数特性を示すグラフである。
【図２３】上記他のタッチパネルシステムによるさらに他の８重サンプリングの周波数特性を示すグラフである。
【図２４】上記他のタッチパネルシステムによる他の４重サンプリングの周波数特性を示すグラフである。
【図２５】図２５の（ａ）（ｂ）は上記他のタッチパネルシステムの駆動方法を比較するための図である。
【図２６】実施の形態２に係るタッチパネルシステムの構成を示す回路図である。
【図２７】実施の形態３に係る電子機器の構成を示すブロック図である。
【発明を実施するための形態】
【００１３】
〔実施形態１〕
以下、本発明の実施の形態について、詳細に説明する。
【００１４】
（信号処理システム１０の構成）
図１は、実施の形態１に係る信号処理システム１０の構成を示すブロック図である。信号処理システム１０は、線形素子ＣＸを駆動する駆動回路４と、駆動回路４を制御する制御回路１４とを備えている。
【００１５】
制御回路１４は、互いに異なる入出力伝達特性を有するサブシステム５ａ・５ｂと、サブシステム５ａ・５ｂのいずれかを駆動回路４に接続する切換回路６とを有している。
【００１６】
線形素子ＣＸは、サブシステム５ａまたは５ｂにより制御される駆動回路４により駆動されて、連続的または離散的に観測できて時々刻々と変化する値を有する時系列信号をアナログインターフェース７ａ（例えば、増幅回路）に供給する。アナログインターフェース７ａは、この時系列信号を増幅してＡＤ変換回路１３に出力する。ＡＤ変換回路１３は、アナログインターフェース７ａから供給された時系列信号をＡＤ変換し、離散時間でサンプリングされた時々刻々と変化する複数個の時系列信号を線形素子推定部１１に供給する。線形素子推定部１１は、ＡＤ変換された線形素子ＣＸに基づく複数個の時系列信号に、加減算に基づく信号処理を行って線形素子ＣＸの値、もしくは、線形素子ＣＸの入力を推定する。信号処理システム１０には、線形素子推定部１１による線形素子ＣＸの推定値もしくは線形素子ＣＸの入力の推定値から、時系列信号に混入するノイズ量を推定するノイズ量推定回路９が設けられている。
【００１７】
切換回路６は、時系列信号に混入するノイズ周波数、ノイズ量、及び、入出力伝達特性に基づいて、加減算に基づく信号処理を行って線形素子ＣＸの値もしくは入力を推定する結果に混入するノイズを低減するようにサブシステム５ａ・５ｂを切り換えて駆動回路４に繋ぐ。
【００１８】
制御回路１４は、アナログインターフェース回路７ａを制御する。例えば、増幅回路への入力状態を切り換える偶数フェイズ駆動と奇数フェイズ駆動に対応する信号を制御回路１４は制御する。また制御回路１４は、ＡＤ変換回路１３のサンプリング周波数、多重サンプリング数を制御する。さらに制御回路１４は、線形素子推定部１１の動作を制御する。
【００１９】
サブシステム５ａに基づく線形素子ＣＸからの時系列信号の多重サンプリング数と、サブシステム５ｂに基づく線形素子ＣＸからの時系列信号の多重サンプリング数とは異なり得る。そして、サブシステム５ａに基づく線形素子ＣＸからの時系列信号のサンプリング周波数と、サブシステム５ｂに基づく線形素子ＣＸからの時系列信号のサンプリング周波数とは異なり得る。
【００２０】
サブシステム５ａ・５ｂに基づく複数個の時系列信号の符号の正負は時系列に沿って反転し得る。また、サブシステム５ａ・５ｂに基づく複数個の時系列信号の符号の正負は時系列に沿って一定となり得る。
【００２１】
切換回路６は、ノイズ量推定回路９の推定結果に基づいてサブシステム５ａ・５ｂを切り換える。
【００２２】
線形素子ＣＸは、例えば、静電容量であり得る。線形素子ＣＸは、熱電対を備えた温度計であってもよい。この場合は、駆動回路４が無くても、信号処理システム１０が成立する。熱電対を用いて観測できる微小電圧（微小電流）を増幅回路により増幅した後、ＡＤ変換回路１３によりサンプリングし、多重サンプリングのサンプリング数、サンプリング周波数を変えて、ノイズを低減できる構成が実現できる。
【００２３】
（ノイズ量及びサンプリング周波数と振幅変化量との間の周波数特性）
図２は、信号処理システム１０により処理される時系列信号のノイズ量及びサンプリング周波数と時系列信号の振幅変化量との間の周波数特性を示すグラフである。横軸は、信号周波数とサンプリング周波数との比である正規化係数を示している。縦軸は、信号の振幅変化量を示している。
【００２４】
特性Ｃ１は、２個の信号をサンプリングして単純移動平均を出力する２重サンプリングの周波数特性を示している。特性Ｃ２は４個の信号をサンプリングして単純移動平均を出力する４重サンプリングの周波数特性を示しており、特性Ｃ３は８個の信号をサンプリングして単純移動平均を出力する８重サンプリングの周波数特性を示している。そして、特性Ｃ４は１６個の信号をサンプリングして単純移動平均を出力する１６重サンプリングの周波数特性を示している。
【００２５】
この周波数特性のグラフから、２重サンプリングでは、特性Ｃ１に示すように、正規化係数が０．５のとき振幅変化量が−∞ｄＢになる。従って、サンプリング周波数をノイズ周波数の２倍に設定するとノイズをなくすことができる。また、正規化周波数が０．５に近づくようにサンプリング周波数を変更してもノイズを低減することができる。
【００２６】
４重サンプリングでは、特性Ｃ２に示すように、正規化係数が０．５のとき、及び０．２５のとき振幅変化量が−∞ｄＢになる。従って、サンプリング周波数をノイズ周波数の２倍または４倍に設定するとノイズをなくすことができる。正規化周波数が０．５または０．２５に近づくようにサンプリング周波数を変更してもノイズを低減することができる。
【００２７】
８重サンプリングでは、特性Ｃ３に示すように、正規化係数が０．５、０．３７５、０．２５、及び０．１２５のとき振幅変化量が−∞ｄＢになる。従って、サンプリング周波数をノイズ周波数の２倍、２．６７倍、４倍、または８倍に設定するとノイズをなくすことができる。正規化周波数が０．５、０．３７５、０．２５、または０．１２５に近づくようにサンプリング周波数を変更してもノイズを低減することができる。
【００２８】
１６重サンプリングでも、特性Ｃ４に示すように、サンプリング周波数を設定、または変更することにより、ノイズを無くし、または低減することができる。
【００２９】
このように、ノイズ周波数に対するサンプリング周波数を設定、または変更することにより、ノイズを無くし、または低減することができる。
【００３０】
例えば、正規化周波数が０．２５のとき、２重サンプリングでは振幅変化量は−３ｄＢであるが、４重サンプリング、８重サンプリング、及び１６重サンプリングでは振幅変化量は−∞ｄＢである。従って、多重サンプリングの多重度を２重から４重、８重、及び１６重のいずれかに変更すると、ノイズを無くすことができる。このように、多重サンプリングの多重度を変更することによっても、ノイズを無くし、または低減することができる。
【００３１】
従って、図１に示す複数のサブシステムのサンプリング周波数を異なるように設定し、または、多重サンプリングの多重度を異なるように設定しておき、ノイズの周波数に基づいて、図２に示す振幅変化量が低減するように多重度、サンプリング周波数が設定されたサブシステムに切換回路６で切り換えることにより、ノイズを無くし、または低減することができる。
【００３２】
（タッチパネルシステム１の構成）
図３は、実施の形態１に係るタッチパネルシステム１の構成を示す回路図である。タッチパネルシステム１は、タッチパネル２とタッチパネルコントローラ３とを備えている。タッチパネル２は、ドライブラインＤＬ１〜ＤＬ４とセンスラインＳＬ１〜ＳＬ４との交点にそれぞれ形成された静電容量Ｃ１１〜Ｃ４４を有する。
【００３３】
タッチパネルコントローラ３は、静電容量Ｃ１１〜Ｃ４４をドライブラインＤＬ１〜ＤＬ４に沿って駆動する駆動回路４を有している。
【００３４】
タッチパネルコントローラ３には、センスラインＳＬ１〜ＳＬ４にそれぞれ接続された増幅回路７が設けられている。各増幅回路７は、駆動回路４により駆動された静電容量Ｃ１１〜Ｃ４４に基づく複数個の線形和信号をセンスラインＳＬ１〜ＳＬ４に沿って読み出して増幅する。増幅回路７は、増幅器１８と、増幅器１８に並列に接続された積分容量Ｃｉｎｔ及びリセットスイッチを有している。
【００３５】
タッチパネルコントローラ３は、増幅回路７の出力をアナログ・デジタル変換するＡＤ変換回路１３と、アナログ・デジタル変換された増幅回路７の出力に基づいて静電容量Ｃ１１〜Ｃ４４の値を推定する復号演算回路８とを有している。
【００３６】
タッチパネルコントローラ３は、駆動回路４を制御する制御回路１４を有している。制御回路１４は、異なる入出力伝達特性を有するサブシステム５ａ・５ｂと、線形和信号に混入するノイズ周波数、ノイズ量、及び、入出力伝達特性に基づいて、復号演算回路８により静電容量Ｃ１１〜Ｃ４４の値を推定した結果に混入するノイズを低減するようにサブシステム５ａ・５ｂを切り換えて駆動回路４に繋ぐ切換回路６とを有している。
【００３７】
制御回路１４は、ＡＤ変換回路１３のサンプリング周波数、多重サンプリング数を制御する。さらに制御回路１４は、復号演算回路８の動作を制御する。
【００３８】
線形和信号の加減算に基づく信号処理による静電容量の推定値から、線形和信号に混入するノイズ量を推定するノイズ量推定回路９が設けられている。切換回路６は、ノイズ量推定回路９の推定結果に基づいてサブシステム５ａ・５ｂを切り換える。
【００３９】
（タッチパネルシステム１の動作）
図４はタッチパネルシステム１の駆動方法を説明するための回路図であり、図５はタッチパネルシステム１の駆動方法を示す数式を説明するための図である。
【００４０】
駆動回路４は、図５の式３に示される４行４列の符号系列に基づいてドライブラインＤＬ１〜ＤＬ４を駆動する。符号行列の要素が「１」であれば、駆動回路４は電圧Ｖdriveを印加し、要素が「０」であれば、ゼロボルトを印加する。
【００４１】
増幅回路７は、駆動回路４により駆動されたセンスラインに沿った静電容量の線形和Ｙ１、Ｙ２、Ｙ３、Ｙ４を受け取って増幅する。
【００４２】
例えば、上記４行４列の符号系列による４回の駆動のうちの最初の駆動では、駆動回路４はドライブラインＤＬ１に電圧Ｖdriveを印加し、残りのドライブラインＤＬ２〜ＤＬ４にゼロボルトを印加する。すると、例えば、図５の式１で示される静電容量Ｃ３１に対応するセンスラインＳＬ３からの測定値Ｙ１が増幅回路７から出力される。
【００４３】
そして、２回目の駆動では、ドライブラインＤＬ２に電圧Ｖdriveを印加し、残りのドライブラインＤＬ１、ＤＬ３、ＤＬ４にゼロボルトを印加する。すると、図５の式２で示される静電容量Ｃ３２に対応するセンスラインＳＬ３からの測定値Ｙ２が増幅回路７から出力される。
【００４４】
次に、３回目の駆動では、ドライブラインＤＬ３に電圧Ｖdriveを印加し、残りのドライブラインにゼロボルトを印加する。その後、４回目の駆動では、ドライブラインＤＬ４に電圧Ｖdriveを印加し、残りのドライブラインにゼロボルトを印加する。
【００４５】
そうすると、図５の式３及び式４に示すように、測定値Ｙ１、Ｙ２、Ｙ３、Ｙ４そのものが、それぞれ静電容量値Ｃ１、Ｃ２、Ｃ３、Ｃ４と関連付けられる。なお、図５の式３〜式４においては、表記の簡単化のため、測定値Ｙ１〜Ｙ４について、係数（−Ｖdrive／Ｃint）を省略して記載している。
【００４６】
図６は、タッチパネルシステム１にノイズが印加される状況を示す回路図である。説明の簡潔化のためにセンスラインＳＬ３を例に挙げて説明すると、センスラインＳＬ３に結合された寄生容量Ｃｐを介して、センスラインＳＬ３に沿って読み出される線形和信号にノイズが印加されると、線形和信号が以下のようになる。
【００４７】
（−Ｃ×Ｖｄｒｉｖｅ／Ｃｉｎｔ）＋（Ｃｐ×Ｖｎ／Ｃｉｎｔ）
従って、
Ｅｙ＝Ｃｐ×Ｖｎ／Ｃｉｎｔ
により表されるノイズが線形和信号に混入する。
【００４８】
図７はタッチパネルシステム１の並列駆動方法を説明するための回路図であり、図８はタッチパネルシステム１の並列駆動方法を示す数式を説明するための図である。
【００４９】
駆動回路４は、図８の式５に示される４行４列の直交符号系列に基づいてドライブラインＤＬ１〜ＤＬ４を駆動する。直交符号系列の要素は、「１」と「−１」とのいずれかであり。要素が「１」であれば、駆動部５４は電圧Ｖdriveを印加し、要素が「−１」であれば、−Ｖdriveを印加する。ここで、電圧Ｖdriveは、電源電圧でもよいが、電源電圧以外の電圧であってもよい。
【００５０】
そして、図８の式６に示すように、測定値Ｙ１、Ｙ２、Ｙ３、Ｙ４と直交符号系列との内積をとることにより、式７に示すように、静電容量Ｃ１〜Ｃ４を推定することができる。
【００５１】
タッチパネルシステムでは、比較的ノイズが大きいため、上記動作を複数回行い、平均化した線形和信号データを真の値として取り扱うことがある。この複数回行う動作のタイミングを変えることによって、異なる入出力伝達特性を有するサブシステム５ａ・５ｂ（図３参照）を実現することができる。
【００５２】
図９は、タッチパネルシステム１をＭ系列符号により並列駆動する方法を示す数式を説明するための図である。Ｍ系列符号により静電容量を並列駆動することによっても静電容量を推定することができる。式８〜式１１に示すように、線形和信号Ｙ１〜Ｙ７の内積をとることにより、静電容量Ｃ１〜Ｃ７を推定することができる。「Ｍ系列」は、二進擬似乱数列の一種であり、１と−１（または１と０）の２値のみから構成される。Ｍ系列の１周期の長さは、２ｎ−１である。長さ＝２３−１＝７のＭ系列の例としては、「１、−１、−１、１、１、１、−１」が挙げられる。
【００５３】
（タッチパネルシステム１ａの構成）
図１０は、実施の形態１に係る他のタッチパネルシステム１ａの構成を示す回路図である。図３で前述した構成要素と同一の構成要素には同一の参照符号を付している。従って、これらの構成要素の詳細な説明は省略する。
【００５４】
タッチパネルシステム１ａは、タッチパネルコントローラ３ａを有している。タッチパネルコントローラ３ａは、切換回路１２を有している。切換回路１２は、各増幅回路７の入力状態を、２ｎ番目のセンスラインと（２ｎ＋１）番目のセンスラインとが入力される偶数フェイズ状態（フェイズ０）と、（２ｎ＋１）番目のセンスラインと（２ｎ＋２）番目のセンスラインとが入力される奇数フェイズ状態（フェイズ１）との間で切り換える。ここでｎはゼロ以上３１以下の整数である。
【００５５】
制御回路１４は、増幅回路７を制御する。例えば、増幅回路７への入力状態を切り換える偶数フェイズ駆動と奇数フェイズ駆動に対応する切換回路１２に与える信号を制御回路１４は制御する。また制御回路１４は、ＡＤ変換回路１３のサンプリング周波数、多重サンプリング数を制御する。さらに制御回路１４は、復号演算回路８の動作を制御する。
【００５６】
図１１の（ａ）（ｂ）（ｃ）は、他のタッチパネルシステム１ａにより静電容量を駆動する実施単位を説明するための図である。
【００５７】
図１１の（ａ）は、フレーム単位の駆動を説明するための図である。タッチパネルシステム１ａは、（Ｍ＋１）個のフレーム駆動Ｆｒａｍｅ０〜ＦｒａｍｅＭをこの順番に繰り返す。各フレーム駆動Ｆｒａｍｅ０〜ＦｒａｍｅＭは、それぞれ（Ｎ＋１）個のベクタ駆動Ｖｅｃｔｏｒ０〜ＶｅｃｔｏｒＮを含む。各ベクタ駆動Ｖｅｃｔｏｒ０〜ＶｅｃｔｏｒＮは、それぞれ偶数フェイズ駆動Ｐｈａｓｅ０及び奇数フェイズ駆動Ｐｈａｓｅ１を含む。
【００５８】
図１１の（ａ）に示す各フレーム駆動Ｆｒａｍｅ０〜ＦｒａｍｅＭが含むベクタ駆動Ｖｅｃｔｏｒ０の偶数フェイズ駆動Ｐｈａｓｅ０（図１１の（ａ）で黒地に白抜きで「Ｐｈａｓｅ０」と表記している）は、請求項に記載の「離散時間でサンプリングされた線形素子に基づく複数個の時系列信号」に相当する。
【００５９】
図１１の（ｂ）は、ベクタ単位の駆動を説明するための図である。まず、フレーム駆動Ｆｒａｍｅ０のベクタ駆動Ｖｅｃｔｏｒ０、フレーム駆動Ｆｒａｍｅ１のベクタ駆動Ｖｅｃｔｏｒ０、フレーム駆動Ｆｒａｍｅ２のベクタ駆動Ｖｅｃｔｏｒ０、…、フレーム駆動ＦｒａｍｅＭのベクタ駆動Ｖｅｃｔｏｒ０の順番で、各フレーム駆動Ｆｒａｍｅ１〜ＦｒａｍｅＭに含まれるベクタ駆動Ｖｅｃｔｏｒ０のみで連続して駆動する。
【００６０】
そして、フレーム駆動Ｆｒａｍｅ０のベクタ駆動Ｖｅｃｔｏｒ１、フレーム駆動Ｆｒａｍｅ１のベクタ駆動Ｖｅｃｔｏｒ１、フレーム駆動Ｆｒａｍｅ２のベクタ駆動Ｖｅｃｔｏｒ１、…、フレーム駆動ＦｒａｍｅＭのベクタ駆動Ｖｅｃｔｏｒ１の順番で、各フレーム駆動Ｆｒａｍｅ１〜ＦｒａｍｅＭに含まれるベクタ駆動Ｖｅｃｔｏｒ１のみで連続して駆動する。次に、フレーム駆動Ｆｒａｍｅ０のベクタ駆動Ｖｅｃｔｏｒ２、フレーム駆動Ｆｒａｍｅ１のベクタ駆動Ｖｅｃｔｏｒ２、フレーム駆動Ｆｒａｍｅ２のベクタ駆動Ｖｅｃｔｏｒ２、…、フレーム駆動ＦｒａｍｅＭのベクタ駆動Ｖｅｃｔｏｒ２の順番で、各フレーム駆動Ｆｒａｍｅ１〜ＦｒａｍｅＭに含まれるベクタ駆動Ｖｅｃｔｏｒ２のみで連続して駆動する。以下同様にして、ベクタ駆動ＶｅｃｔｏｒＮまで駆動する。
【００６１】
図１１の（ｃ）は、フェイズ単位の駆動を説明するための図である。まず、フレーム駆動Ｆｒａｍｅ０のベクタ駆動Ｖｅｃｔｏｒ０に含まれるフェイズ駆動Ｐｈａｓｅ０、フレーム駆動Ｆｒａｍｅ１のベクタ駆動Ｖｅｃｔｏｒ０に含まれるフェイズ駆動Ｐｈａｓｅ０、フレーム駆動Ｆｒａｍｅ２のベクタ駆動Ｖｅｃｔｏｒ０に含まれるフェイズ駆動Ｐｈａｓｅ０、…、フレーム駆動ＦｒａｍｅＭのベクタ駆動Ｖｅｃｔｏｒ０に含まれるフェイズ駆動Ｐｈａｓｅ０の順番で、各フレーム駆動Ｆｒａｍｅ１〜ＦｒａｍｅＭに含まれるベクタ駆動Ｖｅｃｔｏｒ０のフェイズ駆動Ｐｈａｓｅ０のみで連続して駆動する。
【００６２】
そして、フレーム駆動Ｆｒａｍｅ０のベクタ駆動Ｖｅｃｔｏｒ０に含まれるフェイズ駆動Ｐｈａｓｅ１、フレーム駆動Ｆｒａｍｅ１のベクタ駆動Ｖｅｃｔｏｒ０に含まれるフェイズ駆動Ｐｈａｓｅ１、フレーム駆動Ｆｒａｍｅ２のベクタ駆動Ｖｅｃｔｏｒ０に含まれるフェイズ駆動Ｐｈａｓｅ１、…、フレーム駆動ＦｒａｍｅＭのベクタ駆動Ｖｅｃｔｏｒ０に含まれるフェイズ駆動Ｐｈａｓｅ１の順番で、各フレーム駆動Ｆｒａｍｅ１〜ＦｒａｍｅＭに含まれるベクタ駆動Ｖｅｃｔｏｒ０のフェイズ駆動Ｐｈａｓｅ１のみで連続して駆動する。
【００６３】
次に、フレーム駆動Ｆｒａｍｅ０のベクタ駆動Ｖｅｃｔｏｒ１に含まれるフェイズ駆動Ｐｈａｓｅ０、フレーム駆動Ｆｒａｍｅ１のベクタ駆動Ｖｅｃｔｏｒ１に含まれるフェイズ駆動Ｐｈａｓｅ０、フレーム駆動Ｆｒａｍｅ２のベクタ駆動Ｖｅｃｔｏｒ１に含まれるフェイズ駆動Ｐｈａｓｅ０、…、フレーム駆動ＦｒａｍｅＭのベクタ駆動Ｖｅｃｔｏｒ１に含まれるフェイズ駆動Ｐｈａｓｅ０の順番で、各フレーム駆動Ｆｒａｍｅ１〜ＦｒａｍｅＭに含まれるベクタ駆動Ｖｅｃｔｏｒ１のフェイズ駆動Ｐｈａｓｅ０のみで連続して駆動する。以下、同様にして、ベクタ駆動ＶｅｃｔｏｒＮまで駆動する。
【００６４】
図１２の（ａ）（ｂ）（ｃ）は、タッチパネルシステム１ａにより静電容量を反転駆動する方法を説明するための図である。
【００６５】
図１２の（ａ）は、ベクタ単位の駆動を続けて、偶数回目の駆動を反転する駆動方法を示している（反転する偶数回目の駆動箇所は黒地に白抜きで表記している）。まず、フレーム駆動Ｆｒａｍｅ０のベクタ駆動Ｖｅｃｔｏｒ０で駆動する。そして、フレーム駆動Ｆｒａｍｅ１のベクタ駆動Ｖｅｃｔｏｒ０で反転駆動する。次に、フレーム駆動Ｆｒａｍｅ２のベクタ駆動Ｖｅｃｔｏｒ０で駆動する。その後、フレーム駆動Ｆｒａｍｅ３のベクタ駆動Ｖｅｃｔｏｒ０で反転駆動する。反転は、２個のフェイズ駆動単位で行われることになる。そして、同一データの周期は２個のフェイズ駆動に対応する期間となる。この同一データの偶数回目の時系列データは反転駆動により極性が反転する。
【００６６】
図１２の（ｂ）は、フェイズ駆動Ｐｈａｓｅ１の駆動を反転する例を示している（反転する駆動箇所は黒地に白抜きで表記している）。まず、フレーム駆動Ｆｒａｍｅ０のベクタ駆動Ｖｅｃｔｏｒ０に含まれるフェイズＰｈａｓｅ０で駆動する。そして、このベクタ駆動Ｖｅｃｔｏｒ０に含まれるフェイズＰｈａｓｅ１で反転駆動する。次に、フレーム駆動Ｆｒａｍｅ１のベクタ駆動Ｖｅｃｔｏｒ０に含まれるフェイズＰｈａｓｅ０で駆動する。そして、このベクタ駆動Ｖｅｃｔｏｒ０に含まれるフェイズＰｈａｓｅ１で反転駆動する。反転は、１個のフェイズ駆動単位で行われることになる。そして、同一データの周期は２個のフェイズ駆動に対応する期間となる。この同一データの極性は一定である。
【００６７】
図１２の（ｃ）は、フェイズ駆動を連続して、偶数回目の駆動を反転する例である（反転する駆動箇所は黒地に白抜きで表記している）。まず、フレーム駆動Ｆｒａｍｅ０のベクタ駆動Ｖｅｃｔｏｒ０に含まれるフェイズ駆動Ｐｈａｓｅ０で駆動する。そして、フレーム駆動Ｆｒａｍｅ１のベクタ駆動Ｖｅｃｔｏｒ０に含まれるフェイズ駆動Ｐｈａｓｅ０で反転駆動する。
【００６８】
次に、フレーム駆動Ｆｒａｍｅ２のベクタ駆動Ｖｅｃｔｏｒ０に含まれるフェイズ駆動Ｐｈａｓｅ０で駆動する。その後、フレーム駆動Ｆｒａｍｅ３のベクタ駆動Ｖｅｃｔｏｒ０に含まれるフェイズ駆動Ｐｈａｓｅ０反転駆動する。
【００６９】
反転は、１個のフェイズ駆動単位で行われることになる。そして、同一データの周期は１個のフェイズ駆動に対応する期間となる。この同一データの極性は偶数回目で反転する。
【００７０】
図１３は、タッチパネルシステム１ａにより１ｓｔベクタによる駆動の次に２ｎｄベクタによる駆動を実施するときの駆動信号等の波形図である。図１１の（ａ）に示すベクタ駆動Ｖｅｃｔｏｒ０及びベクタ駆動Ｖｅｃｔｏｒ１のフェイズ駆動Ｐｈａｓｅ０に対応する波形図が示されている。信号Ｐｈａｓｅ０がオンのときは、偶数フェイズ駆動Ｐｈａｓｅ０による駆動が行われ、信号Ｐｈａｓｅ０がオフのときは、奇数フェイズ駆動Ｐｈａｓｅ１による駆動が行われる。リセット信号ｒｅｓｅｔ＿ｃｄｓがオンのときは増幅回路７がリセットされる。駆動信号Ｄｒｉｖｅがオンになると静電容量Ｃ１１〜Ｃ４４が駆動される。クロック信号ｃｌｋ＿ｓｈがオンのときに線形和信号がセンスラインに沿って読み出される。ベクタ駆動Ｖｅｃｔｏｒ０の偶数フェイズ駆動Ｐｈａｓｅ０に基づく線形和信号は、１フレーム間隔（期間Ｔ１）で取得される。
【００７１】
図１４の（ａ）はタッチパネルシステム１ａにより連続して１ｓｔベクタによる駆動を実施するときの駆動信号等の波形図であり、図１４の（ｂ）は連続して１ｓｔベクタのフェイズ０による駆動を実施するときの駆動信号等の波形図である。
【００７２】
図１１の（ｂ）に示すようにベクタ駆動Ｖｅｃｔｏｒ０（１ｓｔベクタ）を連続して実施するときは、図１４の（ａ）に示すように、ベクタ駆動Ｖｅｃｔｏｒ０による線形和信号は、２フェイズ間隔（期間Ｔ２）で取得される。
【００７３】
図１１の（ｃ）に示すようにベクタ駆動Ｖｅｃｔｏｒ０（１ｓｔベクタ）に含まれるフェイズ駆動Ｐｈａｓｅ０を連続して実施するときは、図１４の（ｂ）に示すように、フェイズ駆動Ｐｈａｓｅ０による線形和信号は、１フェイズ間隔（期間Ｔ３）で取得される。
【００７４】
図１５の（ａ）はタッチパネルシステム１ａにより連続して１ｓｔベクタによる駆動を実施するときの駆動信号等の波形図であり、図１５の（ｂ）は偶数回目における１ｓｔベクタによる駆動を反転する場合の駆動信号等の波形図である。
【００７５】
図１５の（ａ）に示すように、リセット信号ｒｅｓｅｔ＿ｃｄｓが立ち上がると駆動信号Ｄｒｉｖｅは立下り、リセット信号ｒｅｓｅｔ＿ｃｄｓが時刻ｔ３において立ち下がった後、駆動信号Ｄｒｉｖｅが立ち上がる。
【００７６】
図１５の（ｂ）に示すように、駆動の反転は、駆動信号Ｄｒｉｖｅをハイからローに立ち下げることにより行われる。このため、リセット信号が立ち上がったときに駆動信号Ｄｒｉｖｅを図１５の（ａ）に示すように立ち下げる必要がない。このため、反転駆動前のリセット信号の立ち下げを、図１５の（ａ）におけるリセット信号の立ち下げ時刻ｔ３よりもΔＴだけ早い時刻ｔ２にすることができ、リセット信号ｒｅｓｅｔ＿ｃｄｓがオンであるリセット時間をΔＴだけ短縮することができる。このため、ベクタ駆動Ｖｅｃｔｏｒ０による線形和信号は、図１５の（ａ）では２フェイズ間隔（時刻ｔ１から時刻ｔ５までの期間Ｔ２）で取得されていたが、図１５の（ｂ）では（２フェイズ−ΔＴ）の間隔（時刻ｔ１から時刻ｔ４までの期間Ｔ５）で取得することができる。
【００７７】
図１６の（ａ）は連続して１ｓｔベクタのフェイズ０による駆動を実施するときの駆動信号等の波形図であり、図１６の（ｂ）は偶数回目における１ｓｔベクタのフェイズ０による駆動を反転する場合の駆動信号等の波形図である。
【００７８】
図１６の（ｂ）を参照すると、反転駆動前のリセット信号の立ち下げを、図１６の（ａ）におけるリセット信号の立ち下げ時刻ｔ８よりもΔＴだけ早い時刻ｔ７にすることができ、リセット信号ｒｅｓｅｔ＿ｃｄｓがオンであるリセット時間をΔＴだけ短縮することができる。そして、次のリセット信号の立ち下げを、図１６の（ａ）におけるリセット信号の立ち下げ時刻ｔ１２よりも合計でΔ２Ｔだけ早い時刻ｔ１１にすることができる。
【００７９】
このため、ベクタ駆動Ｖｅｃｔｏｒ０のフェイズ駆動Ｐｈａｓｅ０による線形和信号は、図１６の（ａ）の例では１フェイズ間隔（時刻ｔ６から時刻ｔ１０までの期間Ｔ３）で取得されていたが、図１６の（ｂ）では（１フェイズ−ΔＴ）の間隔（時刻ｔ６から時刻ｔ９までの期間Ｔ７）で取得することができる。
【００８０】
図１７の（ａ）は連続して１ｓｔベクタのフェイズ０による駆動を実施するときの駆動信号等の波形図であり、図１７の（ｂ）は１ｓｔベクタのフェイズ１による駆動を反転する場合の駆動信号等の波形図である。
【００８１】
図１１の（ｂ）に示すように、それぞれが偶数フェイズ駆動Ｐｈａｓｅ０及び奇数フェイズ駆動Ｐｈａｓｅ１を含むベクタ駆動Ｖｅｃｔｏｒ０を連続して駆動するときに、奇数フェイズ駆動Ｐｈａｓｅ１を反転して駆動すると、反転駆動前のリセット信号の立ち下げを、図１７の（ａ）におけるリセット信号の立ち下げ時刻ｔ１７よりもΔＴだけ早い時刻ｔ１６にすることができ、リセット信号ｒｅｓｅｔ＿ｃｄｓがオンであるリセット時間をΔＴだけ短縮することができる。そして、次のリセット信号の立ち下げを、図１７の（ａ）におけるリセット信号の立ち下げ時刻ｔ２１よりも合計でΔ２Ｔだけ早い時刻ｔ２０にすることができる。
【００８２】
このため、ベクタ駆動Ｖｅｃｔｏｒ０のフェイズ駆動Ｐｈａｓｅ０による線形和信号は、図１７の（ａ）の例では１フェイズ間隔（時刻ｔ１５から時刻ｔ１９までの期間Ｔ３）で取得されていたが、図１７の（ｂ）では（２フェイズ−２ΔＴ）の間隔（時刻ｔ１５から時刻ｔ２２までの期間）で取得することになる。
【００８３】
図１８は、タッチパネルシステム１ａにおける相関２重サンプリングの周波数特性を示すグラフである。センスラインに沿って読み出された静電容量の線形和信号は、図１８に示される周波数特性を有する相関２重サンプリング（ＣＤＳ：correlated double sampling）によりサンプリングされる。
【００８４】
図１９は、タッチパネルシステム１ａによる８重サンプリングの周波数特性を示すグラフである。横軸は周波数を示しており、縦軸は信号変化量を示している。１フェイズの時間は２．５μｓｅｃであり、リセット信号の短縮時間ΔＴ＝０．５μｓｅｃである。
【００８５】
このグラフは、信号変化量が０ｄＢ程度となる周波数帯域のノイズに弱いことを示している。図１９に示す例では、どのような条件でも０ｄＢとなる周波数帯域はないので、ノイズ周波数が一つであれば、サンプリング動作を変更することによってノイズを抑圧することを期待することができる。なお、このサンプリングの条件では、動作速度（レポートレート）は落ちない。
【００８６】
また、ＣＤＳ周波数を（ノイズ周波数×（１／整数））にすると、ＣＤＳ処理によってノイズが除去できるはずである。基本的にＣＤＳ周波数を落とす方向なので、動作速度（レポートレート）は落ちる。
【００８７】
図２０はタッチパネルシステム１ａによる他の８重サンプリングの周波数特性を示すグラフである。１フェイズの時間は２．５μｓｅｃであり、リセット信号の短縮時間ΔＴ＝０．０μｓｅｃである。ベクタ駆動を連続して実施したときの周波数特性と、フェイズ駆動を連続して実施したときの周波数特性と、ベクタ駆動を連続し偶数回目を反転駆動したときの周波数特性と、フェイズ駆動を連続し偶数回目を反転駆動したときの周波数特性とを示している。
【００８８】
図２１は、タッチパネルシステム１ａによるさらに他の８重サンプリングの周波数特性を示すグラフである。１フェイズの時間は２．５μｓｅｃであり、リセット信号の短縮時間ΔＴ＝０．０μｓｅｃである。ＣＤＳ周波数は５００ｋＨｚ（＝２．０μｓｅｃ）である。ベクタ駆動を連続して実施したときの周波数特性と、フェイズ駆動を連続して実施したときの周波数特性と、ベクタ駆動を連続し偶数回目を反転駆動したときの周波数特性と、フェイズ駆動を連続し偶数回目を反転駆動したときの周波数特性とを示している。ＣＤＳの効果により、０ｋＨｚ、５００ｋＨｚ、１０００ｋＨｚにおける信号変化量が図２０に示す例よりも抑圧されている。
【００８９】
図２２は、タッチパネルシステム１ａによる４重サンプリングの周波数特性を示すグラフである。１フェイズの時間は２．５μｓｅｃであり、リセット信号の短縮時間ΔＴ＝０．０μｓｅｃである。ＣＤＳ周波数は５００ｋＨｚ（＝２．０μｓｅｃ）である。ベクタ駆動を連続して実施したときの周波数特性と、フェイズ駆動を連続して実施したときの周波数特性と、ベクタ駆動を連続し偶数回目を反転駆動したときの周波数特性と、フェイズ駆動を連続し偶数回目を反転駆動したときの周波数特性とを示している。
【００９０】
図２３は、タッチパネルシステム１ａによるさらに他の８重サンプリングの周波数特性を示すグラフである。ベクタ駆動を連続して実施したときの周波数特性と、フェイズ駆動を連続して実施したときの周波数特性と、ベクタ駆動を連続し偶数回目を反転駆動したときの周波数特性と、フェイズ駆動を連続し偶数回目を反転駆動したときの周波数特性とにおけるそれぞれの周波数に対応する信号変化量の最小値をプロットしたグラフである。１フェイズの時間は２．５μｓｅｃであり、リセット信号の短縮時間ΔＴ＝０．０μｓｅｃである。ＣＤＳ周波数は５００ｋＨｚ（＝２．０μｓｅｃ）である。
【００９１】
図２４は、タッチパネルシステム１ａによる他の４重サンプリングの周波数特性を示すグラフである。図２３に示す例を４重サンプリングについてプロットしたグラフである。
【００９２】
図２５の（ａ）（ｂ）はタッチパネルシステム１ａの駆動方法を比較するための図である。図１１の（ａ）で説明したフレーム単位で駆動する動作モードは（（０）ｐｈａｓｅ／ｖｅｃｔｏｒを続けない場合）、平均処理のための線形和信号データの取得時間間隔は１フレームであり、取得する線形和時系列信号の極性は全部同じである。減衰特性が悪い周波数は１／ｆｒａｍｅ＊Ｎである。
【００９３】
図１１の（ｂ）で説明したベクタ駆動を連続して実施する動作モードは（（１）ｖｅｃｔｏｒを続けて駆動する場合）、線形和信号データの取得時間間隔は２フレームであり、取得する線形和時系列信号の極性は全部同じである。減衰特性が悪い周波数は１／２ｐｈａｓｅ＊Ｎである。
【００９４】
図１１の（ｃ）で説明したフェイズ駆動を連続して実施する動作モードは（（２）ｐｈａｓｅも続けて駆動する場合）、線形和信号データの取得時間間隔は１フレームであり、取得する線形和時系列信号の極性は全部同じである。減衰特性が悪い周波数は１／ｐｈａｓｅ＊Ｎである。
【００９５】
図１２の(ａ)、図１５の（ａ）で説明したベクタ駆動を連続して偶数回目の駆動を反転する動作モードは（（３）ｖｅｃｔｏｒを続けて、偶数回目の駆動を反転する場合）、線形和信号データの取得時間間隔は（２ｐｈａｓｅ−ΔＴ）であり、取得する線形和時系列信号の極性は偶数回目で反転する。減衰特性が悪い周波数は１／（２ｐｈａｓｅ−ΔＴ）＊（Ｎ＋０．５）である。
【００９６】
図１２の（ｃ）、図１６の（ｂ）で説明したフェイズ駆動を連続して偶数回目の駆動を反転する動作モードは（（４）ｐｈａｓｅを続けて、偶数回目の駆動を反転する場合）、線形和信号データの取得時間間隔は（１ｐｈａｓｅ−ΔＴ）であり、取得する線形和時系列信号の極性は偶数回目で反転する。減衰特性が悪い周波数は１／（ｐｈａｓｅ−ΔＴ）＊（Ｎ＋０．５）である。
【００９７】
図１７の（ｂ）で説明した奇数フェイズ駆動を反転する動作モードは（（５）ｐｈａｓｅ１の駆動を反転する場合）、線形和信号データの取得時間間隔は（２ｐｈａｓｅ−２ΔＴ）であり、取得する線形和時系列信号の極性は、偶数フェイズ駆動Ｐｈａｓｅ０では全部同じ正極性であり、奇数フェイズ駆動Ｐｈａｓｅ１では全部同じ負極性である。減衰特性が悪い周波数は１／（２ｐｈａｓｅ−２ΔＴ）＊Ｎである。
【００９８】
フレーム単位で駆動しながら偶数回目の駆動を反転する動作モードは（（６）ｐｈａｓｅ／ｖｅｃｔｏｒを続けずに偶数回目を反転する場合）、線形和信号データの取得時間間隔は１フレームであり、取得する線形和時系列信号の極性は偶数回目で反転する。減衰特性が悪い周波数は１／ｆｒａｍｅ＊（Ｎ＋０．５）である。
【００９９】
（ノイズ量推定回路９の動作）
ノイズ量推定回路９は、複数個の線形素子推定部の出力（加減算に基づく信号処理を行って線形素子ＣＸの値、もしくは、線形素子ＣＸの入力の複数個の推定結果）を用いて判断する。切換回路６は、ノイズ量推定回路９の推定結果に基づいてサブシステム５ａ・５ｂを切り換える。本来であれば、複数個の推定値は、同じ値になるはずであり、これが同じ値にならないとき、ノイズ量推定回路９は、推定結果に混入しているノイズ量の影響が増大したと推定する。
【０１００】
（サブシステムの構成）
制御回路１４に設けられた複数のサブシステムは、外来ノイズを低減するために、前述した説明に基づいて種々のタイプに構成することができる。
【０１０１】
例えば、同じベクタ駆動で同じフェイズ駆動に基づく複数個の線形和信号を加算平均する実施単位をフレーム単位としたサブシステム、加算平均する実施単位をベクタ単位としたサブシステム、加算平均する実施単位をフェイズ単位としたサブシステムを設け、これらのサブシステムを、正規化周波数と振幅変化率との間の周波数特性に基づいて外来ノイズを低減するように選択する構成としてもよい。
【０１０２】
この加算平均の実施単位が、ベクタ単位、フェイズ単位の場合に、駆動信号の符号を反転させる機能を備えたサブシステムを設けてもよい。この場合、駆動反転周期を２フェイズ単位としたサブシステム、１フェイズ単位としたサブシステムを設け、これらのサブシステムを、上記周波数特性に基づいて外来ノイズを低減するように選択する構成としてもよい。
【０１０３】
また、駆動信号の駆動反転機能を有する場合、増幅回路をリセットするリセット信号のリセット時間を短縮するサブシステムを設けてもよい。
【０１０４】
〔実施形態２〕
本発明の他の実施形態について、図２６に基づいて説明すれば、以下のとおりである。なお、説明の便宜上、前記実施形態にて説明した図面と同じ機能を有する部材については、同じ符号を付記し、その説明を省略する。
【０１０５】
図２６は、実施の形態２に係るタッチパネルシステムの構成を示す回路図である。実施の形態２に係るタッチパネルシステムは、タッチパネルコントローラ３ｂを備えている。タッチパネルコントローラ３ｂには、増幅回路７ａが設けられている。増幅回路７ａは、差動増幅器１８ａを有している。差動増幅器１８ａは、互いに隣接するセンスラインに沿って読み出される線形和信号を受け取って増幅する。
【０１０６】
このように、差動増幅器によって増幅回路を構成すると、タッチパネルコントローラのノイズ耐性をさらに強めることができる。
【０１０７】
〔実施形態３〕
図２７は、実施の形態３に係る携帯電話機９０（電子機器）の構成を示すブロック図である。携帯電話機９０は、ＣＰＵ９６と、ＲＡＭ９７と、ＲＯＭ９８と、カメラ９５と、マイクロフォン９４と、スピーカ９３と、操作キー９１と、表示パネル９２ｂ及び表示制御回路９２ａを含む表示部９２と、タッチパネルシステム１とを備えている。各構成要素は、相互にデータバスによって接続されている。
【０１０８】
ＣＰＵ９６は、携帯電話機９０の動作を制御する。ＣＰＵ９６は、たとえばＲＯＭ９８に格納されたプログラムを実行する。操作キー９１は、携帯電話機９０のユーザによる指示の入力を受ける。ＲＡＭ９７は、ＣＰＵ９６によるプログラムの実行により生成されたデータ、または操作キー９１を介して入力されたデータを揮発的に格納する。ＲＯＭ９８は、データを不揮発的に格納する。
【０１０９】
また、ＲＯＭ９８は、ＥＰＲＯＭ（Erasable Programmable Read-Only Memory）やフラッシュメモリなどの書込みおよび消去が可能なＲＯＭである。なお、図２７には示していないが、携帯電話機９０が、他の電子機器に有線により接続するためのインターフェイス（ＩＦ）を備える構成としてもよい。
【０１１０】
カメラ９５は、ユーザの操作キー９１の操作に応じて、被写体を撮影する。なお、撮影された被写体の画像データは、ＲＡＭ９７や外部メモリ（たとえば、メモリカード）に格納される。マイクロフォン９４は、ユーザの音声の入力を受付ける。携帯電話機９０は、当該入力された音声（アナログデータ）をデジタル化する。そして、携帯電話機９０は、通信相手（たとえば、他の携帯電話機）にデジタル化した音声を送る。スピーカ９３は、たとえば、ＲＡＭ９７に記憶された音楽データなどに基づく音を出力する。
【０１１１】
タッチパネルシステム１は、タッチパネル２とタッチパネルコントローラ３とを有している。ＣＰＵ９６は、タッチパネルシステム１の動作を制御する。ＣＰＵ９６は、例えばＲＯＭ９８に記憶されたプログラムを実行する。ＲＡＭ９７は、ＣＰＵ９６によるプログラムの実行により生成されたデータを揮発的に格納する。ＲＯＭ９７は、データを不揮発的に格納する。
【０１１２】
表示パネル９２ｂは、表示制御回路９２ａにより、ＲＯＭ９８、ＲＡＭ９７に格納されている画像を表示する。表示パネル９２ｂは、タッチパネル２に重ねられているか、タッチパネル２を内蔵している。
【０１１３】
〔まとめ〕
本発明の一態様に係る信号処理システムは、離散時間でサンプリングされた線形素子に基づく複数個の時系列信号に、加減算に基づく信号処理を行って前記線形素子の値、もしくは、前記線形素子の入力を推定する信号処理システムであって、異なる入出力伝達特性を有する第１及び第２サブシステムと、前記時系列信号に混入するノイズ周波数、ノイズ量、及び、前記入出力伝達特性に基づいて、前記加減算に基づく信号処理を行って前記線形素子の値もしくは入力を推定する結果に混入するノイズを低減するように前記第１及び第２サブシステム（サブシステム５ａ・５ｂ）を切り換えて前記線形素子に繋ぐ切換回路とを有する。
【０１１４】
上記の構成によれば、前記時系列信号に混入するノイズ周波数、ノイズ量、及び、前記入出力伝達特性に基づいて、前記加減算に基づく信号処理を行って前記線形素子の値もしくは入力を推定する結果に混入するノイズを低減するように前記第１及び第２サブシステム（サブシステム５ａ・５ｂ）を切り換える。このため、離散時間でサンプリングされた線形素子に基づく複数個の時系列信号に対応する線形素子の値もしくは入力を推定する結果に混入するノイズを低減することができる。
【０１１５】
さらに、本発明の一態様に係る信号処理システムは、前記第１サブシステム（サブシステム５ａ）に基づく前記線形素子からの時系列信号の多重サンプリング数と、前記第２サブシステム（サブシステム５ｂ）に基づく前記線形素子からの時系列信号の多重サンプリング数とが異なっていてもよい。
【０１１６】
上記の構成によれば、多重サンプリングの多重度が異なる第１及び第２サブシステムを切り換えることにより、離散時間でサンプリングされた線形素子に基づく複数個の時系列信号に対応する線形素子の値もしくは入力を推定する結果に混入するノイズを低減することができる。
【０１１７】
本発明の一態様に係る信号処理システムは、前記第１サブシステム（サブシステム５ａ）に基づく前記線形素子からの時系列信号のサンプリング周波数と、前記第２サブシステム（サブシステム５ｂ）に基づく前記線形素子からの時系列信号のサンプリング周波数とが異なっていてもよい。
【０１１８】
上記の構成によれば、時系列信号のサンプリング周波数が異なる第１及び第２サブシステムを切り換えることにより、離散時間でサンプリングされた線形素子に基づく複数個の時系列信号に対応する線形素子の値もしくは入力を推定する結果に混入するノイズを低減することができる。
【０１１９】
本発明の一態様に係る信号処理システムは、前記第１サブシステム（サブシステム５ａ）に基づく前記複数個の時系列信号の符号の正負は時系列に沿って反転し、前記第２サブシステム（サブシステム５ｂ）に基づく前記複数個の時系列信号の符号の正負は時系列に沿って一定となってもよい。
【０１２０】
上記の構成によれば、反転駆動により一定駆動の場合と入出力伝達特性を異ならせることができるので、離散時間でサンプリングされた線形素子に基づく複数個の時系列信号に対応する線形素子の値もしくは入力を推定する結果に混入するノイズを低減することができる。
【０１２１】
本発明の一態様に係る信号処理システムは、前記時系列信号の加減算に基づく信号処理による前記線形素子の推定値もしくは前記線形素子の入力の推定値から、前記ノイズ量を推定するノイズ量推定手段（ノイズ量推定回路９）をさらに備え、前記切換手段（切換回路６）は、前記ノイズ量推定手段（ノイズ量推定回路９）の推定結果に基づいて前記第１及び第２サブシステム（サブシステム５ａ・５ｂ）を切り換えてもよい。
【０１２２】
上記の構成によれば、ノイズ量が増大したときに、推定結果に混入するノイズ量を低減するように第１及び第２サブシステムを切り換えることができる。
【０１２３】
本発明の一態様に係る信号処理システムは、線形素子に基づく複数個の時系列信号をアナログ・デジタル変換して、前記離散時間でサンプリングされた複数個の時系列信号を生成するアナログ・デジタル変換回路（ＡＤ変換回路１３）をさらに備えてもよい。
【０１２４】
上記の構成によれば、デジタル処理により線形素子の値を推定することができる。
【０１２５】
本発明の一態様に係るタッチパネルコントローラは、複数本のドライブラインと複数本のセンスラインとの交点にそれぞれ形成された複数個の静電容量を有するタッチパネルを制御するタッチパネルコントローラであって、前記静電容量を前記ドライブラインに沿って駆動する駆動回路と、前記駆動回路により駆動された静電容量に基づく複数個の線形和信号を前記センスラインに沿って読み出して増幅する増幅回路と、前記増幅回路の出力をアナログ・デジタル変換するアナログ・デジタル変換回路と、前記アナログ・デジタル変換された増幅回路の出力に基づいて前記静電容量の値を推定する復号演算回路と、異なる入出力伝達特性を有する第１及び第２サブシステムと、前記線形和信号に混入するノイズ周波数、ノイズ量、及び、前記入出力伝達特性に基づいて、前記復号演算回路により前記静電容量の値を推定する結果に混入するノイズを低減するように 前記第１及び第２サブシステムを切り換えて前記駆動回路に繋ぐ切換回路とを有する。
【０１２６】
上記の構成によれば、前記線形和信号に混入するノイズ周波数、ノイズ量、及び、前記入出力伝達特性に基づいて、前記復号演算回路により前記静電容量の値を推定する結果に混入するノイズを低減するように 前記第１及び第２サブシステムを切り換える。このため、駆動手段により駆動された静電容量に基づく複数個の線形和信号に対応する線形素子の値もしくは入力を推定する結果に混入するノイズを低減することができる。
【０１２７】
本発明の一態様に係るタッチパネルコントローラは、前記第１サブシステム（サブシステム５ａ）は、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、前記第２サブシステムは、各フレーム駆動の第ｋベクタ駆動（１≦ｋ≦Ｎ＋１）を連続して実施してもよい。
【０１２８】
上記の構成によれば、フレーム駆動とベクタ駆動とを、ノイズ量及びサンプリング周波数と線形和信号の振幅変化量との間の周波数特性に基づいて選択することができる。
【０１２９】
本発明の一態様に係るタッチパネルコントローラは、前記第１サブシステム（サブシステム５ａ）は、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、前記第２サブシステム（サブシステム５ｂ）は、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行してもよい。
【０１３０】
上記の構成によれば、フレーム駆動とフェイズ駆動とを、ノイズ量及びサンプリング周波数と線形和信号の振幅変化量との間の周波数特性に基づいて選択することができる。
【０１３１】
本発明の一態様に係るタッチパネルコントローラは、前記駆動回路は、前記第１及び第２サブシステム（サブシステム５ａ・５ｂ）と異なる入出力伝達特性を有する第３サブシステム（サブシステム５ｂ）をさらに有し、前記第１サブシステム（サブシステム５ａ）は、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、前記第２サブシステム（サブシステム５ｂ）は、各フレーム駆動の第ｋベクタ駆動（１≦ｋ≦Ｎ＋１）を連続して実施し、前記第３サブシステムは、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行してもよい。
【０１３２】
上記の構成によれば、フレーム駆動とベクタ駆動とフェイズ駆動とを、ノイズ量及びサンプリング周波数と線形和信号の振幅変化量との間の周波数特性に基づいて選択することができる。
【０１３３】
本発明の一態様に係るタッチパネルコントローラは、前記第１サブシステム（サブシステム５ａ）は、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、前記第２サブシステム（サブシステム５ｂ）は、各フレーム駆動の第ｋベクタ駆動（１≦ｋ≦Ｎ＋１）を連続して、前記複数個の線形和信号の符号の正負が時系列に沿って各ベクタ駆動毎に反転するように実施してもよい。
【０１３４】
上記の構成によれば、各フレーム駆動毎の反転駆動と各ベクタ駆動毎の反転駆動とを、ノイズ量及びサンプリング周波数と線形和信号の振幅変化量との間の周波数特性に基づいて選択することができる。
【０１３５】
本発明の一態様に係るタッチパネルコントローラは、前記第１サブシステム（サブシステム５ａ）は、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、前記第２サブシステム（サブシステム５ｂ）は、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行してもよい。
【０１３６】
上記の構成によれば、フレーム駆動毎の反転駆動とフェイズ駆動毎の反転駆動とを、ノイズ量及びサンプリング周波数と線形和信号の振幅変化量との間の周波数特性に基づいて選択することができる。
【０１３７】
本発明の一態様に係るタッチパネルコントローラは、前記駆動回路は、前記第１及び第２サブシステム（サブシステム５ａ・５ｂ）と異なる入出力伝達特性を有する第３サブシステムをさらに有し、前記第１サブシステム（サブシステム５ａ）は、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、前記第２サブシステム（サブシステム５ｂ）は、各フレーム駆動の第ｋベクタ駆動（１≦ｋ≦Ｎ＋１）を連続して、前記複数個の線形和信号の符号の正負が時系列に沿って各ベクタ駆動毎に反転するように実施し、前記第３サブシステムは、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行してもよい。
【０１３８】
上記の構成によれば、フレーム駆動とベクタ駆動とフェイズ駆動とを、ノイズ量及びサンプリング周波数と線形和信号の振幅変化量との間の周波数特性に基づいて選択することができる。
【０１３９】
本発明の一態様に係るタッチパネルコントローラは、前記第１サブシステム（サブシステム５ａ）は、前記複数個の線形和信号の符号の正負が時系列に沿って反転するように前記静電容量を駆動するときに、前記複数個の線形和信号の符号の正負が時系列に沿って一定となるように駆動するときよりも、前記増幅回路をリセットするためのリセット信号のリセット時間を短縮してもよい。
【０１４０】
上記の構成によれば、増幅回路をリセットするためのリセット信号のリセット時間を短縮するので、サンプリング周波数を変えることができる。
【０１４１】
本発明の一態様に係るタッチパネルコントローラは、前記増幅回路は、隣接するセンスラインに沿って出力される線形和信号を差動増幅する差動増幅器を含んでもよい。
【０１４２】
上記の構成によれば、タッチパネルコントローラのノイズ耐性をさらに向上させることができる。
【０１４３】
本発明の一態様に係るタッチパネルシステムは、複数本のドライブラインと複数本のセンスラインとの交点にそれぞれ形成された複数個の静電容量を有するタッチパネルと、前記タッチパネルを制御するタッチパネルコントローラとを備えたタッチパネルシステムであって、前記タッチパネルコントローラは、前記静電容量を前記ドライブラインに沿って駆動する駆動回路と、前記駆動手段により駆動された静電容量に基づく複数個の線形和信号を前記センスラインに沿って読み出して増幅する増幅回路と、前記増幅回路の出力をアナログ・デジタル変換するアナログ・デジタル変換回路（ＡＤ変換回路１３）と、前記アナログ・デジタル変換された増幅回路の出力に基づいて前記静電容量の値を推定する復号演算回路と、異なる入出力伝達特性を有する第１及び第２サブシステムと、前記線形和信号に混入するノイズ周波数、ノイズ量、及び、前記入出力伝達特性に基づいて、前記復号演算回路により前記静電容量の値を推定する結果に混入するノイズを低減するように 前記第１及び第２サブシステム（サブシステム５ａ・５ｂ）を切り換えて前記駆動回路に繋ぐ切換回路とを有する。
【０１４４】
本発明の一態様に係る電子機器は、本発明の一態様に係るタッチパネルシステムと、前記タッチパネルシステムに対応する表示手段（表示部９２）とを備える。
【０１４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４６】
本発明は、離散時間でサンプリングされた線形素子に基づく複数個の時系列信号に、加減算に基づく信号処理を行って前記線形素子の値を推定する信号処理システム、複数本のドライブラインと複数本のセンスラインとの交点にそれぞれ形成された複数個の静電容量を有するタッチパネルを制御するタッチパネルコントローラ、並びに、これを用いたタッチパネルシステム及び電子機器に利用することができる。
【符号の説明】
【０１４７】
１  タッチパネルシステム
２  タッチパネル
３  タッチパネルコントローラ
４  駆動回路
５ａ、５ｂ  サブシステム（第１サブシステム、第２サブシステム）
６  切換回路
８  復号演算回路
９  ノイズ量推定回路
１０  信号処理システム
１１  線形素子推定部
１２  切換回路
１３  ＡＤ変換回路
１４  制御回路
１８、１８ａ  増幅器
ＣＸ  線形素子
【図１】
2014042153.tif 000003
【図２】
2014042153.tif 000004
【図３】
2014042153.tif 000005
【図４】
2014042153.tif 000006
【図５】
2014042153.tif 000007
【図６】
2014042153.tif 000008
【図７】
2014042153.tif 000009
【図８】
2014042153.tif 000010
【図９】
2014042153.tif 000011
【図１０】
2014042153.tif 000012
【図１１】
2014042153.tif 000013
【図１２】
2014042153.tif 000014
【図１３】
2014042153.tif 000015
【図１４】
2014042153.tif 000016
【図１５】
2014042153.tif 000017
【図１６】
2014042153.tif 000018
【図１７】
2014042153.tif 000019
【図１８】
2014042153.tif 000020
【図１９】
2014042153.tif 000021
【図２０】
2014042153.tif 000022
【図２１】
2014042153.tif 000023
【図２２】
2014042153.tif 000024
【図２３】
2014042153.tif 000025
【図２４】
2014042153.tif 000026
【図２５】
2014042153.tif 000027
【図２６】
2014042153.tif 000028
【図２７】
2014042153.tif 000029
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
符号系列に基づいて並列駆動された線形素子に基づく複数個の時系列信号であって、離散時間でサンプリングされた複数個の時系列信号に、前記符号系列との内積演算に基づく信号処理を行って前記線形素子の値、もしくは、前記線形素子の入力を推定する信号処理システムであって、
異なる入出力伝達特性を有する第１及び第２サブシステムと、
前記時系列信号に混入するノイズ周波数、ノイズ量、及び、前記入出力伝達特性に基づいて、前記加減算に基づく信号処理を行って前記線形素子の値もしくは入力を推定する結果に混入するノイズを低減するように前記第１及び第２サブシステムを切り換えて前記線形素子に繋ぐ切換回路とを有することを特徴とする信号処理システム。
【請求項２】
前記第１サブシステムに基づく前記線形素子からの時系列信号の多重サンプリング数と、前記第２サブシステムに基づく前記線形素子からの時系列信号の多重サンプリング数とが異なる請求項１に記載の信号処理システム。
【請求項３】
前記第１サブシステムに基づく前記線形素子からの時系列信号のサンプリング周波数と、前記第２サブシステムに基づく前記線形素子からの時系列信号のサンプリング周波数とが異なる請求項１に記載の信号処理システム。
【請求項４】
前記第１サブシステムに基づく前記複数個の時系列信号の符号の正負は時系列に沿って反転し、前記第２サブシステムに基づく前記複数個の時系列信号の符号の正負は時系列に沿って一定となる請求項１に記載の信号処理システム。
【請求項５】
前記時系列信号の加減算に基づく信号処理による前記線形素子の推定値もしくは前記線形素子の入力の推定値から、前記ノイズ量を推定するノイズ量推定手段をさらに備え、
前記切換回路は、前記ノイズ量推定手段の推定結果に基づいて前記第１及び第２サブシステムを切り換える請求項１に記載の信号処理システム。
【請求項６】
線形素子に基づく複数個の時系列信号をアナログ・デジタル変換して、前記離散時間でサンプリングされた複数個の時系列信号を生成するアナログ・デジタル変換回路をさらに備える請求項１に記載の信号処理システム。
【請求項７】
複数本のドライブラインと複数本のセンスラインとの交点にそれぞれ形成された複数個の静電容量を有するタッチパネルを制御するタッチパネルコントローラであって、
符号系列に基づいて前記静電容量を前記ドライブラインに沿って並列駆動する駆動回路と、
前記駆動回路により並列駆動された静電容量に基づく複数個の線形和信号を前記センスラインに沿って読み出して増幅する増幅回路と、
前記増幅回路の出力をアナログ・デジタル変換するアナログ・デジタル変換回路と、
前記アナログ・デジタル変換された増幅回路の出力と前記符号系列との内積演算に基づいて前記静電容量の値を推定する復号演算回路と、
異なる入出力伝達特性を有する第１及び第２サブシステムと、
前記線形和信号に混入するノイズ周波数、ノイズ量、及び、前記入出力伝達特性に基づいて、前記復号演算回路により前記静電容量の値を推定する結果に混入するノイズを低減するように前記第１及び第２サブシステムを切り換えて前記駆動回路に繋ぐ切換回路とを有することを特徴とするタッチパネルコントローラ。
【請求項８】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）を連続して実施する請求項７に記載のタッチパネルコントローラ。
【請求項９】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行する請求項７に記載のタッチパネルコントローラ。
【請求項１０】
前記駆動回路は、前記第１及び第２サブシステムと異なる入出力伝達特性を有する第３サブシステムをさらに有し、
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）を連続して実施し、
前記第３サブシステムは、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行する請求項７に記載のタッチパネルコントローラ。
【請求項１１】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）を連続して、前記複数個の線形和信号の符号の正負が時系列に沿って各ベクタ駆動毎に反転するように実施する請求項７に記載のタッチパネルコントローラ。
【請求項１２】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行する請求項７に記載のタッチパネルコントローラ。
【請求項１３】
前記駆動回路は、前記第１及び第２サブシステムと異なる入出力伝達特性を有する第３サブシステムをさらに有し、
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）を連続して、前記複数個の線形和信号の符号の正負が時系列に沿って各ベクタ駆動毎に反転するように実施し、
前記第３サブシステムは、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行する請求項７に記載のタッチパネルコントローラ。
【請求項１４】
前記第１サブシステムは、前記複数個の線形和信号の符号の正負が時系列に沿って反転するように前記静電容量を駆動するときに、前記複数個の線形和信号の符号の正負が時系列に沿って一定となるように駆動するときよりも、前記増幅回路をリセットするためのリセット信号のリセット時間を短縮する請求項７に記載のタッチパネルコントローラ。
【請求項１５】
前記増幅回路は、隣接するセンスラインに沿って出力される線形和信号を差動増幅する差動増幅器を含む請求項７に記載のタッチパネルコントローラ。
【請求項１６】
複数本のドライブラインと複数本のセンスラインとの交点にそれぞれ形成された複数個の静電容量を有するタッチパネルと、
前記タッチパネルを制御するタッチパネルコントローラとを備えたタッチパネルシステムであって、
前記タッチパネルコントローラは、符号系列に基づいて前記静電容量を前記ドライブラインに沿って並列駆動する駆動回路と、
前記駆動回路により並列駆動された静電容量に基づく複数個の線形和信号を前記センスラインに沿って読み出して増幅する増幅回路と、
前記増幅回路の出力をアナログ・デジタル変換するアナログ・デジタル変換回路と、
前記アナログ・デジタル変換された増幅回路の出力と前記符号系列との内積演算に基づいて前記静電容量の値を推定する復号演算回路と、
異なる入出力伝達特性を有する第１及び第２サブシステムと、
前記線形和信号に混入するノイズ周波数、ノイズ量、及び、前記入出力伝達特性に基づいて、前記復号演算回路により前記静電容量の値を推定する結果に混入するノイズを低減するように前記第１及び第２サブシステムを切り換えて前記駆動回路に繋ぐ切換回路とを有することを特徴とするタッチパネルシステム。
【請求項１７】
請求項１６に記載のタッチパネルシステムと、
前記タッチパネルシステムに対応する表示手段とを備えたことを特徴とする電子機器。
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
符号系列に基づいて並列駆動された線形素子に基づく複数個の時系列信号であって、離散時間でサンプリングされた複数個の時系列信号に、前記符号系列との内積演算に基づく信号処理を行って前記線形素子の値、もしくは、前記線形素子の入力を推定する信号処理システムであって、
異なる入出力伝達特性を有する第１及び第２サブシステムと、
前記時系列信号に混入するノイズ周波数、ノイズ量、及び、前記入出力伝達特性に基づいて、前記符号系列との内積演算に基づく信号処理を行って前記線形素子の値もしくは入力を推定する結果に混入するノイズを低減するように前記第１及び第２サブシステムを切り換えて前記線形素子に繋ぐ切換回路とを有することを特徴とする信号処理システム。
【請求項２】
前記第１サブシステムに基づく前記線形素子からの時系列信号の多重サンプリング数と、前記第２サブシステムに基づく前記線形素子からの時系列信号の多重サンプリング数とが異なる請求項１に記載の信号処理システム。
【請求項３】
前記第１サブシステムに基づく前記線形素子からの時系列信号のサンプリング周波数と、前記第２サブシステムに基づく前記線形素子からの時系列信号のサンプリング周波数とが異なる請求項１に記載の信号処理システム。
【請求項４】
前記第１サブシステムに基づく前記複数個の時系列信号の符号の正負は時系列に沿って反転し、前記第２サブシステムに基づく前記複数個の時系列信号の符号の正負は時系列に沿って一定となる請求項１に記載の信号処理システム。
【請求項５】
前記時系列信号の加減算に基づく信号処理による前記線形素子の推定値もしくは前記線形素子の入力の推定値から、前記ノイズ量を推定するノイズ量推定手段をさらに備え、
前記切換回路は、前記ノイズ量推定手段の推定結果に基づいて前記第１及び第２サブシステムを切り換える請求項１に記載の信号処理システム。
【請求項６】
線形素子に基づく複数個の時系列信号をアナログ・デジタル変換して、前記離散時間でサンプリングされた複数個の時系列信号を生成するアナログ・デジタル変換回路をさらに備える請求項１に記載の信号処理システム。
【請求項７】
複数本のドライブラインと複数本のセンスラインとの交点にそれぞれ形成された複数個の静電容量を有するタッチパネルを制御するタッチパネルコントローラであって、
符号系列に基づいて前記静電容量を前記ドライブラインに沿って並列駆動する駆動回路と、
前記駆動回路により並列駆動された静電容量に基づく複数個の線形和信号を前記センスラインに沿って読み出して増幅する増幅回路と、
前記増幅回路の出力をアナログ・デジタル変換するアナログ・デジタル変換回路と、
前記アナログ・デジタル変換された増幅回路の出力と前記符号系列との内積演算に基づいて前記静電容量の値を推定する復号演算回路と、
異なる入出力伝達特性を有する第１及び第２サブシステムと、
前記線形和信号に混入するノイズ周波数、ノイズ量、及び、前記入出力伝達特性に基づいて、前記復号演算回路により前記静電容量の値を推定する結果に混入するノイズを低減するように前記第１及び第２サブシステムを切り換えて前記駆動回路に繋ぐ切換回路とを有することを特徴とするタッチパネルコントローラ。
【請求項８】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）を連続して実施する請求項７に記載のタッチパネルコントローラ。
【請求項９】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行する請求項７に記載のタッチパネルコントローラ。
【請求項１０】
前記駆動回路は、前記第１及び第２サブシステムと異なる入出力伝達特性を有する第３サブシステムをさらに有し、
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を実施し、
前記第２サブシステムは、各フレーム駆動の第ｋベクタ駆動（１≦ｋ≦Ｎ＋１）を連続して実施し、
前記第３サブシステムは、各フレーム駆動の第ｋベクタ駆動（１≦ｋ≦Ｎ＋１）にそれぞれ含まれる偶数フェイズ駆動を連続して実行した後、前記第ｋベクタ駆動にそれぞれ含まれる奇数フェイズ駆動を連続して実行する請求項７に記載のタッチパネルコントローラ。
【請求項１１】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）を連続して、前記複数個の線形和信号の符号の正負が時系列に沿って各ベクタ駆動毎に反転するように実施する請求項７に記載のタッチパネルコントローラ。
【請求項１２】
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行する請求項７に記載のタッチパネルコントローラ。
【請求項１３】
前記駆動回路は、前記第１及び第２サブシステムと異なる入出力伝達特性を有する第３サブシステムをさらに有し、
前記第１サブシステムは、それぞれが偶数フェイズ駆動と奇数フェイズ駆動とを含む第１〜第（Ｎ＋１）ベクタ駆動をこの順番で実行する第１〜第（Ｍ＋１）フレーム駆動を、前記複数個の線形和信号の符号の正負が時系列に沿って各フレーム駆動毎に反転するように実施し、
前記第２サブシステムは、各フレーム駆動の第ｋベクタ駆動（１≦ｋ≦Ｎ＋１）を連続して、前記複数個の線形和信号の符号の正負が時系列に沿って各ベクタ駆動毎に反転するように実施し、
前記第３サブシステムは、各フレーム駆動の第ｋベクタ駆動（１≦ｋ≦Ｎ＋１）にそれぞれ含まれる偶数フェイズ駆動を連続して、前記複数個の線形和信号の符号の正負が時系列に沿って各偶数フェイズ駆動毎に反転するように実行した後、前記第ｋベクタ駆動にそれぞれ含まれる奇数フェイズ駆動を連続して、前記複数個の線形和信号の符号の正負が時系列に沿って各奇数フェイズ駆動毎に反転するように実行する請求項７に記載のタッチパネルコントローラ。
【請求項１４】
前記第１サブシステムは、前記複数個の線形和信号の符号の正負が時系列に沿って反転するように前記静電容量を駆動するときに、前記複数個の線形和信号の符号の正負が時系列に沿って一定となるように駆動するときよりも、前記増幅回路をリセットするためのリセット信号のリセット時間を短縮する請求項７に記載のタッチパネルコントローラ。
【請求項１５】
前記増幅回路は、隣接するセンスラインに沿って出力される線形和信号を差動増幅する差動増幅器を含む請求項７に記載のタッチパネルコントローラ。
【請求項１６】
複数本のドライブラインと複数本のセンスラインとの交点にそれぞれ形成された複数個の静電容量を有するタッチパネルと、
前記タッチパネルを制御するタッチパネルコントローラとを備えたタッチパネルシステムであって、
前記タッチパネルコントローラは、符号系列に基づいて前記静電容量を前記ドライブラインに沿って並列駆動する駆動回路と、
前記駆動回路により並列駆動された静電容量に基づく複数個の線形和信号を前記センスラインに沿って読み出して増幅する増幅回路と、
前記増幅回路の出力をアナログ・デジタル変換するアナログ・デジタル変換回路と、
前記アナログ・デジタル変換された増幅回路の出力と前記符号系列との内積演算に基づいて前記静電容量の値を推定する復号演算回路と、
異なる入出力伝達特性を有する第１及び第２サブシステムと、
前記線形和信号に混入するノイズ周波数、ノイズ量、及び、前記入出力伝達特性に基づいて、前記復号演算回路により前記静電容量の値を推定する結果に混入するノイズを低減するように前記第１及び第２サブシステムを切り換えて前記駆動回路に繋ぐ切換回路とを有することを特徴とするタッチパネルシステム。
【請求項１７】
請求項１６に記載のタッチパネルシステムと、
前記タッチパネルシステムに対応する表示手段とを備えたことを特徴とする電子機器。
【手続補正２】
【補正対象書類名】明細書
【補正対象項目名】０００７
【補正方法】変更
【補正の内容】
【０００７】
上記の課題を解決するために、本発明の一態様に係る信号処理システムは、離散時間でサンプリングされた線形素子に基づく複数個の時系列信号に、 加減算に基づく信号処理を行って前記線形素子の値、もしくは、前記線形素子の入力を推定する信号処理システムであって、異なる入出力伝達特性を有する第１及び第２サブシステムと、前記時系列信号に混入するノイズ周波数、ノイズ量、及び、前記入出力伝達特性に基づいて、前記符号系列との内積演算に基づく信号処理を行って前記線形素子の値もしくは入力を推定する結果に混入するノイズを低減するように 前記第１及び第２サブシステムを切り換えて前記線形素子に繋ぐ切換回路とを有する。
【手続補正３】
【補正対象書類名】明細書
【補正対象項目名】０１１３
【補正方法】変更
【補正の内容】
【０１１３】
本発明の一態様に係る信号処理システムは、離散時間でサンプリングされた線形素子に基づく複数個の時系列信号に、加減算に基づく信号処理を行って前記線形素子の値、もしくは、前記線形素子の入力を推定する信号処理システムであって、異なる入出力伝達特性を有する第１及び第２サブシステムと、前記時系列信号に混入するノイズ周波数、ノイズ量、及び、前記入出力伝達特性に基づいて、前記符号系列との内積演算に基づく信号処理を行って前記線形素子の値もしくは入力を推定する結果に混入するノイズを低減するように前記第１及び第２サブシステム（サブシステム５ａ・５ｂ）を切り換えて前記線形素子に繋ぐ切換回路とを有する。
【国際調査報告】
2014042153.tif 000030
2014042153.tif 000031
2014042153.tif 000032
2014042153.tif 000033